(57)【要約】【課題】感震ユニットを有し、薄型でかつ既存の照明器具の基本構造を変更する必要がない、照明器具を提供すること。【解決手段】器具本体に、器具本体に固定されて器具本体からほぼ水平に延びる支持腕と、感震スイッチ並びに感震スイッチの動作により点灯する光源を有する感震ユニットを設けることにより薄型で、かつ既存の照明器具の基本構造を変更する必要がない感震ユニットを備える照明器具を提供することができる。【選択図】図１
2007250497.tif 000002
【特許請求の範囲】
【請求項１】
器具本体と;
前記器具本体に一端を固定されて該器具本体からほぼ水平に延びる支持腕と；
前記支持腕の他端に固定された感震スイッチと、該感震スイッチの動作により点灯する光源とを有する感震ユニットと;
を有することを特徴とする照明器具。
【請求項２】
前記器具本体は天板を有し、前記支持腕は、前記天板から上方に傾斜するように前記器具本体に取付けられていることを特徴とする請求項１記載の照明器具。
【請求項３】
前記感震ユニット又は支持腕には、該支持腕の上面よりも上方に突出する弾性体からなる間隔調整手段が設けられていることを特徴とする請求項２記載の照明器具。
【請求項４】
前記光源の電源として常時は充電電源から充電される二次電池を有し、該二次電池は充電電源の遮断時のみ交換可能とされていることを特徴とする請求項１乃至３のいずれか1項に記載の照明器具。
【請求項５】
前記器具本体又は前記支持腕には、前記支持腕の仰角を調整する調整手段が設けられていることを特徴とする請求項１乃至４のいずれか1項に記載の照明器具。
【請求項６】
前記感震ユニットを、前記器具本体の一端に設けられた主電源を入切するためのプルスイッチと前記器具本体の中心を介して対向する位置に設けたことを特徴とする請求項１乃至５のいずれか１項に記載の照明器具。
【発明の詳細な説明】
【技術分野】
【０００１】
本発明は、照明器具に関する。
【背景技術】
【０００２】
従来から、感震スイッチ、光源及び二次電池を有する感震ユニットを照明器具に内蔵させて、感震スイッチが地震の振動を感知したときに光源を点灯させるようにした照明器具が知られている。
【０００３】
このような照明器具では、日常の振動やプルスイッチを操作する際に生じる揺れなどで感震スイッチが動作しないように、感震ユニットを器具本体を天井に取付ける取付け部近傍に設置するようにしている（例えば、特許文献１参照）。
【特許文献１】特開平９―１６７５１７号公報
【発明の開示】
【発明が解決しようとする課題】
【０００４】
照明器具は住居などで住みよい空間を提供する装置であり、この場合には天井に取付けられる照明器具として、空間を広く提供できる薄型の形状をしたものが望まれる。
しかし、従来の感震ユニットを有する照明器具では、照明器具本体取付け部近傍に感震ユニットを設置するため往々にして照明器具が縦長になってしまうという問題があった。
また、感震ユニットと器具本体とを一体に形成するので、これらを天井に取付けるための専用スペースを取付け部近傍に設ける必要があり、照明器具が大型化してしまうとともに、新たに設計が必要になるため生産ラインも別に必要になり、生産コストが高くなってしまうという問題があった。
本発明は、かかる従来の問題を解消すべくなされたもので、薄型でかつ既存の照明器具の基本構造を変更する必要がない、感震ユニットを備える照明器具を提供することを目的とする。
【課題を解決するための手段】
【０００５】
上記の問題を解決するため、請求項１の発明は、器具本体と；前記器具本体に一端を固定されて該器具本体からほぼ水平に延びる支持腕と；前記支持腕の他端に固定された感震スイッチと；該感震スイッチの動作により点灯する光源を有する感震ユニット；を有することを特徴とする。
前記感震スイッチは、支持腕上を長手方向に移動可能となるように設けることができ、かつ所定の位置で固定可能とすることもできる。
【０００６】
請求項２の発明は、前記器具本体は天板を有し、前記支持腕は、前記天板の水平方向よりも上方に傾斜するように前記器具本体に取付けられていることを特徴とする。
支持腕は設置時にほぼ水平になるように器具本体に取付けることが望ましいので感震ユニットなどの重量による撓みを考慮してやや上向きに取付けるようにすることもできる。
そして、感震ユニットが器具本体に対して略水平となると、感震ユニットの所定の感度を比較的容易に保持することが可能となる。
【０００７】
請求項３の発明は、前記感震ユニット又は支持腕には、該支持腕の上面よりも上方に突出する弾性体からなる間隔調整手段が設けられていることを特徴とする。
感震ユニット又は支持腕と天井の間に設けられる間隔調整手段として例えば、ゴム又はパッキンなどを介すことができる。
【０００８】
請求項４の発明は、前記光源の電源として常時は充電電源から充電される二次電池を有し、該二次電池は充電電源の遮断時のみ交換可能とされていることを特徴とする。
「遮断時のみ」とは、例えば、充電電源と二次電池との電気的接続を意図的に解除しなければ二次電池を交換することができない機械的構造であったり、充電電池と二次電池との電気的な接続が遮断されたことを検出することにより、二次電池を取外せる状態とする電気的制御構成などでもよい。
要するに、二次電池の充電状態を解除した後でなければ、二次電池の交換が不可能となる構成であればよい。
【０００９】
前記光源及び二次電池は、前記感震スイッチ及び感震スイッチの動作時に二次電池の電力を前記光源に供給する制御手段とともに前記感震ユニット内に収容し、該感震ユニットは支持腕の自由端に固定させることが望ましい。
【００１０】
なお、二次電池が取外されたままにならないように、二次電池が外れていることが容易に確認できるようにしておくことが望ましい。このような方法としては、例えば、筐体に収納された二次電池の充電回路をコネクタで接続しておき、二次電池の交換をコネクタを抜いて筐体ごと、必要に応じて支持腕ごと器具本体から外して行うように構成することによって達成される。この方法によると二次電池の交換時は筐体又は筐体と支持腕が外されているから、感震スイッチが不作動状態にあることが一見してわかり、誤って感震スイッチが不作動のままになることが防止される。
【００１１】
また、本発明における二次電池には、化学電池に限らず主電源で充電される二次電池として機能するキャパシターなども含まれる。
【００１２】
請求項５の発明は、前記器具本体又は前記支持腕には、前記支持腕の仰角を調整する調整手段が設けられていることを特徴とする。
【００１３】
前記支持腕は、器具本体に取付けられる際に前記感震ユニットなどの重量で撓むことが考えられる。また、器具本体が取付けられる取付け面が傾斜している場合には、支持腕が水平状態とならないことがある。
感震スイッチは、水平度により感度が大きい影響を受ける。したがって調整手段は、感震スイッチの取付け角度を調整可能となるように設けられていればよい。そして、調整手段としては例えば、感震スイッチと支持腕との固定部の感震スイッチ側又は支持腕側に１個又は複数個のレベル調整ねじを設けることである。これにより水平度の調整を容易に行うことが可能となる。
また、支持腕を、器具本体に対して例えばねじ止めで固定しねじを緩めることによって取外し可能としたり、器具本体に固定した時の支持腕の仰角を支持腕又は器具本体側に設けたレベル調整用ねじの操作で調整可能とすることもできる。
【００１４】
請求項６の発明は、前記感震ユニットを、前記器具本体の一端に設けられた主電源を入切するためのプルスイッチと前記器具本体の中心を介して対向する位置に設けた。
照明器具がプルスイッチ付きの場合には、支持腕の一端を器具本体の中心を挟んでプルスイッチの反対側の縁部に固定し他端をプルスイッチから遠ざかる方向に伸ばして、その自由端側に感震スイッチを固着することにより、プルスイッチ操作時の振動による影響を少なくすることができる。なお、「対向する位置」とはプルスイッチから見て１８０°の位置のみではなく前後数１０°の範囲も含まれるものである。
【００１５】
本発明の照明器具は、天井に取付け具を介して着脱自在に取付けられるようにしたものが適しているが、天井に固定したものや、天井以外の梁や壁面に取付ける照明器具についても同様に適用することが可能である。
【００１６】
また、照明器具の主照明用の光源は特に限定されず、蛍光ランプ、水銀灯、ハロゲンランプ、ＬＥＤなど任意のものが適用可能である。地震時に点灯する光源も特に限定されるものではないが、例えば一般的な豆球やＬＥＤが使用可能である。
【００１７】
前記支持腕としては、通常金属製の平板状、円柱状、円筒状のものが用いられるが、金属製にかぎらず、適当な剛性をもつＦＲＰ製のものも使用可能である。
【発明の効果】
【００１８】
請求項１の発明によれば、器具本体に一端を固定されて器具本体からほぼ水平に延びる支持腕の自由端に感震スイッチを固定したので、器具本体を薄型化することができ、照明器具の外観を損ねることがない。また、既存の照明器具の基本構造を大幅に変更する必要がないので、汎用性が高く生産性を低下させることがない。
【００１９】
請求項２の発明によれば、支持腕は、天板から上方に傾斜するように取付けられるので、器具本体を取付け面などに取付けた状態で感震ユニットなどの重量により支持腕が撓んでも感震ユニットが器具本体に対して略水平となるように配設され、照明器具の外観性が低下することがない。
【００２０】
請求項３の発明によれば、感震ユニット又は支持腕には、該支持腕の上面よりも上方に突出する弾性体からなる間隔調整手段が設けられているので器具本体を取付け面に取付けると間隔調整手段が取付け面と支持腕との間に配設されることになる。すなわち支持腕が下方へ押し下げられて器具本体に対して略水平となるので、照明器具の設置後における支持腕及び感震ユニットの位置を容易にかつ確実に所望の状態とすることができる。
また、間隔調整手段は、弾性体であるので、取付け面と支持腕との間に配設されたとしても地震などの振動は感震スイッチで確実に検出することができる。
請求項４の発明によれば、二次電池は、主電源の遮断時のみ交換可能とされているので、交換作業時の安全性を確実に得ることができる。
【００２１】
また、請求項５の発明によれば、器具本体又は支持腕にはこの支持腕の仰角を調整する調整手段が設けられているので、感震ユニットの水平度を調整することができる。すなわち支持腕の撓み又は器具本体の取付け状態などから生じる誤差動の発生を抑制することができる。
さらに、請求項６の発明によれば、感震スイッチをプルスイッチに対して器具本体の中心を介して対向する位置に固定されているので、プルスイッチの操作時の振動による誤作動を防止することができる。
【発明を実施するための最良の形態】
【００２２】
以下、本発明の実施の形態を図面を参照して詳細に説明する。
図１は本発明の一つの実施形態にかかる照明器具の構成を示す平面図である。図２は図１の照明器具を一部透視して示す側面図である。図３は図１及び図２の照明器具を天井に取付けた時の構成を一部透視して示す側面図である。図４は感震スイッチ、二次電池などを筐体に納めた感震ユニットの平面図である。図５は図４の感震ユニットを支持部材に取付けたときの構成を示す平面図である。図６は図５の感震ユニットを支持部材に取付けたときの構成を示す側面図である。図７は図３の感震ユニットの下面の平面図である。図８は本発明の他の実施形態にかかる照明器具を一部透視して示す側面図である。図９は他の実施形態にかかる支持部材の傾き調整を一部透視して示す側面拡大図である。
【実施例１】
【００２３】
この照明器具１は、図１及び図２に示すように、円盤状のシャーシ２の下面側に同心的に固定された器具本体３と、シャーシ２の外縁に一端が固定された金属製の平板状の支持腕である支持部材４と、この支持部材４の他端の自由端側に下向きに取付けられた感震ユニット５と、器具本体３を覆ってシャーシ２の縁部に係止金具を介して係合されたセード６から主要部分が構成されている。
【００２４】
シャーシ２の外縁に支持部材４と、支持部材４の他端の自由端側に感震スイッチを固定することで、器具本体を薄型化することができる。また、既存の照明器具の基本構造を変更する必要がない。
器具本体３には、複数の蛍光灯用のホルダー１０が所定の間隔をおいて環状に配設され、中央にはベビー球用のホルダー１１が設けられている。
支持部材４は設置時にほぼ水平になるようにシャーシ２の所定の個所に取付けることが望ましいので感震ユニット５などの重量による支持部材４の撓みを考慮して、支持部材４はシャーシ２の水平から任意の角度θ分上方に傾斜して取付けられている。任意の角度θ分上方に取付けられることにより支持部材４が撓んでも感震ユニット５が器具本体３に対して略水平となるように配設される。すなわち外観性が低下することがない。
【００２５】
また、感震ユニット５の所定の感度を比較的容易に保持することが可能となる。
支持部材４の上面にはパッキン２５が設けられている。
感震ユニット５は、支持部材４に長手方向に摺動可能に装着されており、ねじ７により支持部材４の所定の位置に係止されている。シャーシ２の支持部材４を取付けた縁部と中心をはさんだ反対側にはプルスイッチ用の穴８が形成され、ここからプルスイッチ９が垂下している。感震ユニット５は、支持部材４の長手方向に移動可能とされているので、固定位置の調整により設置個所のスペースの状況に応じた形態とすることができる。
【００２６】
感震ユニット５の筐体１２の下面側にはＬＥＤからなる保安用のランプ１３が装着されている。筐体１２の内部には、図示を省略したが地震の振動により作動する感震スイッチ、主電源で充電される二次電池及び感震スイッチの動作時又は停電時に二次電池の電力をランプ１３に給電して点灯させる点灯回路などの機能部品が収納されている。
【００２７】
この照明器具１を天井２２に取付けた場合を図３に示す。照明器具１は、シャーシ２側を図示はしないが引掛シーリングに取付け、支持部材４が天井２２との間に間隙が生じるように固定される。支持部材４と天井２２との間にはパッキン２５が設置されている。パッキン２５を支持部材４と天井２２との間に介すことにより、支持部材４が下方へ押し下げられてシャーシ２に対して略水平となるので、照明器具１の設置後における支持部材４及び感震ユニット５の位置を容易にかつ確実に所望の状態とすることができる。また、例えば階上の住人の移動などによって生じるわずかな振動をパッキン２５が吸収するので、感震スイッチの誤作動を抑制できる。
【００２８】
パッキン２５は弾性体であるので、わずかな振動は吸収するが地震などの振動は感震スイッチで確実に検出することができる。
【００２９】
感震ユニット５の上面側は図４に示すように、感震ユニット５の筐体１２の上蓋１２ａには、この筐体１２を支持部材にねじ止めするビスを通すためのビス孔１４と給電ケーブル１５を導出するためのケーブル挿通孔１６が形成されている。
給電ケーブル１５は、図５及び図６に示すように支持部材４のケーブル導出孔１７から支持部材４の上面に導かれ、支持部材４に沿って器具本体３（図示せず）に案内され、コネクタ１８を介して器具本体３の図示を省略した充電回路に設けたソケットに接続される。
【００３０】
二次電池は上蓋１２ａを外さないと取出すことが出来ないようになっている。すなわち、照明器具１が天井２２に取付けられている状態では、天井２２と上蓋１２ａとの距離が小さく、かつパッキン２５も設置されているため上蓋１２ａを取外すことができない。
そして、取外すためには照明器具１を天井面から外すか、又は支持部材４を器具本体３から外すか、又は感震ユニット５を支持部材４から外すかしかない。よって結果的に感震ユニット５への電気的接続が遮断された状態でのみ電池交換が行えるようになり電池交換作業時の安全性を確実に得ることができる。つまり二次電池の交換は、コネクタ１８より感震ユニット５ごと、必要に応じて支持部材４ごと給電ケーブル１５を取外し、上蓋１２ａを取外すことで行なわれる。
【００３１】
また、二次電池が高温になりがちな器具本体に取付けられている照明器具では電池寿命が短くなり、電池交換の頻度が高くなるという問題もあったが本実施例の照明器具１では熱により寿命が短くなることもない。
【００３２】
感震ユニット５の下面には図７に示すように感震スイッチの作動により点灯するランプ１３と二次電池の充電の程度を表示するチャージランプ２０が設けられている。チャージランプ２０は例えば満充電では緑色で点灯、充電中では赤色の点滅、停電時のランプ１３点灯時には赤色で点灯する。
【００３３】
また、感震ユニット５を、プルスイッチ９と器具本体３の中心を介して対向する位置に設置したのでプルスイッチ９の操作時に発生するわずかな振動が感震ユニット５に伝わりにくくなる。わずかに伝わる振動は感震ユニット５と天井２２の間に設置されたパッキン２５が吸収するので感震スイッチの誤作動を抑制できる。
なお、感震ユニット５の設置位置は器具本体３の中心を介した個所ならば実施例で示す位置に限らず器具本体３の中心位置以降の側であれば任意の場所とすることができる。
【００３４】
このように構成された照明器具１は、感震スイッチが一定レベル以上の地震の振動を感知すると点灯回路を作動させてランプ１３を点灯させる。
この実施例はプルスイッチ付きのものであるが、蛍光灯とベビーランプの点滅をリモコンで制御する照明器具にも同様に適用することができる。
【実施例２】
【００３５】
この実施例は、図８に示すように、実施例１の支持部材４の器具本体３の設置部の構造を変形させた照明器具を用いたものである。支持部材４はねじ２３によりシャーシ２の所定の個所に設置されており、仰角調整としての水平調整ねじ２４によりやや上方に傾斜して取付けられている。その他の構造や支持部材４のシャーシ２所定の設置部は実施例１と同じであるので、図３と対応する部分に同一符号を付して重複する説明を省略する。
なお、この実施例では感震ユニット５の筐体１２の側面に二次電池交換用の窓１９が設けられており、二次電池を交換する場合には、感震ユニット５又は支持部材４を器具本体３から取外した後この二次電池交換用窓１９より交換を行なう。
従来、感震スイッチのメンテナンスや保安灯、二次電池などの交換を行う場合には、照明器具に装着された蛍光灯などをいちいち取外さなければならず非常に手間のかかるという問題があったが本実施例の照明器具では、支持部材４を介して感震ユニット５を器具本体３の外側に出してあるため、二次電池の交換を手間を掛けずに行なうことができる。
また、二次電池交換用窓１９は実施例で示す位置に限らず筐体１２の任意の面に設けることができる。
【００３６】
仰角調整の具体的な手段を図９に示す。支持部材４はシャーシ２にねじ２３によって固定されている。ねじ２３の近傍には水平調整ねじ２４が設けられている。この水平調整ネジ２４の締め付けによって支持部材４は想像線のように傾斜するので感震ユニット５などの重量による支持部材４の撓みを補正したり、器具本体の取付け状態などから生じる誤差動の発生を抑制することができる。
【図面の簡単な説明】
【００３７】
【図１】本発明の実施例に使用する照明器具の構成を示す平面図である。
【図２】本発明の実施例に使用する照明器具を一部透視して示す側面図である。
【図３】本発明の実施例に使用する照明器具を天井に取付けた時の構成を一部透視して示す側面図である。
【図４】本発明の実施例に使用する感震スイッチ、二次電池などを筐体に納めた感震ユニットの平面図。
【図５】本発明の実施例に使用する感震ユニットを支持部材に取付けたときの構成を示す平面図。
【図６】本発明の実施例に使用する感震ユニットを支持部材に取付けたときの構成を示す側面図。
【図７】本発明の実施例に使用する感震ユニット下面の平面図。
【図８】本発明の他の実施例に使用する照明器具を一部透視して示す側面図である。
【図９】本発明の他の実施例に使用する支持部材の傾き調整を一部透視して示す側面拡大図である
【符号の説明】
【００３８】
１…照明器具、２…シャーシ、３…器具本体、４…支持部材、５…感震ユニット、６…セード、７…ねじ、８…プルスイッチ用の穴、９…プルスイッチ、１０…蛍光灯用ホルダ、１１…ベビー球用ホルダー、１２…筐体、１２ａ…上蓋、１３…ランプ、１４…ビス孔、１５…給電用ケーブル、１６…ケーブル挿通孔、１７…ケーブル導出孔、１８…コネクタ、１９…二次電池交換用の窓、２０…チャージランプ、２１…グロメット、２２…天井、２３…ねじ、２４…水平調整ねじ、２５…パッキン。
【図１】
2007250497.tif 000003
【図２】
2007250497.tif 000004
【図３】
2007250497.tif 000005
【図４】
2007250497.tif 000006
【図５】
2007250497.tif 000007
【図６】
2007250497.tif 000008
【図７】
2007250497.tif 000009
【図８】
2007250497.tif 000010
【図９】
2007250497.tif 000011